(57)【要約】【課題】イオンを部屋にスポット的に送る場合と、部屋全体に送る場合とを自由に選択できる温風暖房機を提供する。【解決手段】本体１背面に室内空気の吸込みパネル５、本体１前面に温風の吹出口９、吸込みパネル５から前記吹出口９に至る本体１内部の暖房用空気通路７に熱源２及び対流ファン４を備え、対流ファン４の送風の一部を暖房用空気通路７とは別の清浄用空気通路１０に導く。清浄用空気通路１０の空気出口は本体上部に開口しており、この開口部に水平３６０度回転可能なＬ字型の吹出しグリル１１が設けられている。そして、清浄用空気通路１０内にイオン発生器１３を設けた。【選択図】      図２
2004286283.tif 000002
【特許請求の範囲】
【請求項１】
本体背面に室内空気の吸込口、本体前面に温風の吹出口、前記吸込口から前記吹出口に至る本体内部の暖房用空気通路に熱源及び対流ファンを備え、対流ファンの送風の一部を前記暖房用空気通路とは別の清浄用空気通路に導く温風暖房機において、前記清浄用空気通路の空気出口を本体上部に開口し、この開口部に吹出し方向を変更可能な筒体を設けたことを特徴とする温風暖房機。
【請求項２】
前記清浄用空気通路内にイオン発生器を設けたことを特徴とする請求項１に記載の温風暖房機。
【請求項３】
前記清浄用空気通路内に芳香剤を設けたことを特徴とする請求項１に記載の温風暖房機。
【請求項４】
前記筒体が水平３６０度回転可能なＬ字型の筒体であることを特徴とする請求項１〜３のいずれか一つに記載の温風暖房機。
【発明の詳細な説明】
【０００１】
【発明の属する技術分野】
本発明は、温風暖房機に関するものである。
【０００２】
【従来の技術】
従来の空気清浄機付き温風暖房機は、燃焼用空気の通過する第１の空間と清浄用空気の通過する第２の空間とを金属板を挟んで上下に設け、各空間の空気取り入れ口に燃焼用空気送風機と清浄用空気送風機とを別々に設けた構成としている（例えば、特許文献１参照。）。
【０００３】
しかし、２つの送風機を搭載するために装置が大型化する問題があった。また、双方の送風機の風量を別々に制御するための複雑なプログラムが必要であった。
【０００４】
その他の従来の温風暖房機は、図３に示すように、本体１０１の内部に熱源１０２を備えた炉１０３を設け、対流ファン１０４で本体１背面の吸込みパネル１０５から室内空気を吸い込み、炉１０３の上部と燃焼枠１０６で囲まれた暖房用空気通路１０７を通過させ、ルーバ１０８を通して本体１０１前面の吹出口１０９から室内に温風を送風するようにしている。
【０００５】
そして、燃料枠１０６よりも上方にダクトから成る清浄用空気通路１０７を設け、対流ファン１０４で本体１０１背面の吸込みパネル１０５から室内空気を吸い込み、空気清浄フィルター１１２を通過させ、吹出しグリル１１１を通して本体１０１上部から室内に温風を送風するようにしている。
【０００６】
【特許文献１】
特開２０００−１７９９４３号公報  （第３−５頁、第１図）
【０００７】
【発明が解決しようとする課題】
しかしながら、清浄用空気通路１１０内には対流ファン１０４で作られる風量の一部しか取り込むことができず、本体１０１上部の前方にスポット的にしか清浄空気が届かないという欠点があった。
【０００８】
本発明は、このような課題に鑑みてなされたものであり、清浄空気やイオンや芳香を部屋にスポット的に送る場合と、部屋全体に送る場合とを自由に選択できる温風暖房機を提供することを目的とする。
【０００９】
【課題を解決するための手段】
上記目的を達成するために本発明は、本体背面に室内空気の吸込口、本体前面に温風の吹出口、前記吸込口から前記吹出口に至る本体内部の暖房用空気通路に熱源及び対流ファンを備え、対流ファンの送風の一部を前記暖房用空気通路とは別の清浄用空気通路に導く温風暖房機において、前記清浄用空気通路の空気出口を本体上部に開口し、この開口部に吹出し方向を変更可能な筒体を設けたことを特徴とする。
【００１０】
この構成によると、筒体の先を前方に向けることにより、清浄用空気通路を通過する空気を本体上部前方にスポット的に送ることができ、また、筒体の先を後方に向けることで、清浄用空気通路を通過する空気を即座に本体背面から吸い込んで暖房用空気通路を通って部屋全体に送ることができる。
【００１１】
そして、前記清浄用空気通路内にイオン発生器を設けることにより、イオンを部屋にスポット的に送る場合と、部屋全体に送る場合とを自由に選択できる。
【００１２】
あるいは、前記清浄用空気通路内に芳香剤を設けることにより、芳香を部屋にスポット的に送る場合と、部屋全体に送る場合とを自由に選択できる。
【００１３】
その場合、筒体を水平３６０度回転可能なＬ字型の筒体とすることにより、筒体を回転させるだけで吹出し方向を容易に変更することができる。
【００１４】
【発明の実施の形態】
以下に本発明の実施形態を図面を参照して説明する。図１は、本発明に係る温風暖房機の一例の側面断面図である。本発明に係る温風暖房機は、本体１の内部に熱源２を備えた炉３を設け、対流ファン４で本体１背面の吸込みパネル５から室内空気を吸い込み、炉３の上部と燃焼枠６で囲まれた暖房用空気通路７を通過させ、ルーバ８を通して本体１前面の吹出口９から室内に温風を送風するようにしている。
【００１５】
また、燃焼枠６よりも上方にはＬ字型のダクトからなる清浄用空気通路１０が設けられている。この清浄用空気通路１０の一端は対流ファン４の下流側に開口し、他端は本体１上部に開口している。本体１上部の清浄用空気通路１０開口部にはＬ字型の筒体である吹出しグリル１１が差し込まれている。吹出しグリル１１は、所定の高さにストッパーとしてのリブ１２を有し、このリブ１２の位置まで差し込みの深さを変えることで、若干の高さ調節が可能になっている。差し込まれた吹出しグリル１１は、その根元で水平３６０度回転可能であり、吹出しの方向を前後左右に自在に変更することができる。
【００１６】
また、清浄用空気通路１０内には、正負イオン又は負イオンを選択的に発生するイオン発生器１３が設けられており、このイオン発生器１３から発生させた正負イオン又は負イオンを清浄用空気通路１０を通って吹出しグリル１１から室内に送ることができるようになっている。正負イオンは、空中に浮遊するカビや菌を不活化する空間除菌作用があり、一方、負イオンは人間の精神に影響を与え、仕事の能率を高めたり、心身をリラックスさせたりする効果が期待できる。
【００１７】
図４は、イオン発生器１３の模式的な透視斜視図である。箱型の本体２２の上面には矩形の開口部が形成され、この開口部に平板状の誘電体２３が設けられている。この誘電体２３の上面は本体２２の上面と一致している。本体２２の内部下方には、高圧パルス駆動回路２６が収容されている。誘電体２３の上面と下面には、板状の内部電極２４と網状の外部電極２５が対向配置されている。外部電極２５は本体２２の上面から外部に露出している。これらの内部電極２４と外部電極２５には、リード線２７を介して高圧パルス駆動回路２６が接続されている。高圧パルス駆動回路２６を駆動すると、内部電極２４と外部電極２５の間に正電圧と負電圧からなる高圧パルス電圧が印加され、プラズマ放電が起こる。これによって外部電極２５の周辺空気がイオン化され、ほぼ同数の正負イオンが発生する。
【００１８】
なお、上記電極間に交流高電圧を印加することにより、空気中の酸素ないしは水分が電離によりエネルギーを受けてイオン化し、Ｈ＋（Ｈ２Ｏ）ｍ（ｍは任意の自然数）とＯ２−（Ｈ２Ｏ）ｎ（ｎは任意の自然数）を主体としたイオンを生成し、これらをファン等により空間に放出させる。これらＨ＋（Ｈ２Ｏ）ｍ及びＯ２−（Ｈ２Ｏ）ｎは、浮遊菌の表面に付着し、化学反応して活性種であるＨ２Ｏ２または・ＯＨを生成する。Ｈ２Ｏ２または・ＯＨは、極めて強力な活性を示すため、これらにより、空気中の浮遊細菌を取り囲んで不活化することができる。ここで、・ＯＨは活性種の１種であり、ラジカルのＯＨを示している。
【００１９】
正負のイオンは浮遊細菌の細胞表面で式（１）〜式（３）に示すように化学反応して、活性種である過酸化水素（Ｈ２Ｏ２）または水酸基ラジカル（・ＯＨ）を生成する。ここで、式（１）〜式（３）において、ｍ、ｍ’、ｎ、ｎ’は任意の自然数である。これにより、活性種の分解作用によって浮遊細菌が破壊される。従って、効率的に空気中の浮遊細菌を不活化、除去することができる。
Ｈ＋（Ｈ２Ｏ）ｍ＋Ｏ２−（Ｈ２Ｏ）ｎ→・ＯＨ＋１／２Ｏ２＋（ｍ＋ｎ）Ｈ２Ｏ  ・・・（１）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’  →  ２・ＯＨ＋Ｏ２＋（ｍ＋ｍ’＋ｎ＋ｎ’）Ｈ２Ｏ  ・・・（２）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’  →  Ｈ２Ｏ２＋Ｏ２＋（ｍ＋ｍ’＋ｎ＋ｎ’）Ｈ２Ｏ  ・・・（３）
【００２０】
以上のメカニズムにより、上記正負イオンの放出により、浮遊菌等の不活化の効果を得ることができる。
【００２１】
また、上記式（１）〜式（３）は、空気中の有害物質表面でも同様の作用を生じさせることができるため、活性種である過酸化水素（Ｈ２Ｏ２）または水酸基ラジカル（・ＯＨ）が、有害物質を酸化若しくは分解して、ホルムアルデヒドやアンモニアなどの化学物質を、二酸化炭素や、水、窒素などの無害な物質に変換することにより、実質的に無害となる。
【００２２】
したがって、イオン発生器１３によって発生させた正負イオンを対流ファン４によって室内に送り出すことにより、これらの正負イオンの作用により室内の雰囲気のカビや菌を不活化し、その増殖を抑制することができる。
【００２３】
その他、正負イオンには、インフルエンザウィルス、コクサッキーウィルスなどのウィルス類も不活化する働きがあり、これらウィルスの混入による汚染が防止できる。
【００２４】
また、正負イオンには、臭いの元となる分子を分解する働きがあることも確かめられており、空間の脱臭にも利用できる。
【００２５】
上記構成において動作について説明する。温風暖房機の運転を始めると、対流ファン４が回転し、吸込みパネル５から室内空気が吸込まれて送風される。対流ファン４による空気流は、大部分がそのまま暖房用空気通路７を流れるが、一部、清浄用空気通路１０にも送られる。暖房用空気通路７を流通する大風量の空気流は、炉３の周囲を通過する際に熱源２の熱に加熱され温風となり、ルーバ８により方向を調節されて吸込口９を経て本体１の前方に勢いよく送風される。
【００２６】
一方、清浄用空気通路１０に送られる小風量の空気流は、イオン発生器１３から発生する正負イオン又は負イオンを運び、吹出しグリル１１を経て本体１上部前方にイオンを送る。この送風は弱く、部屋にスポット的にしかイオンを送ることができないが、吹出しグリル１１を前方左右上下に動かすことにより、イオンの出る方向を狭い空間ではあるが可変とすることができる。
【００２７】
これに対し、部屋全体をイオンリッチにしたい場合は、図２に示すように、吹出しグリル１１を回転して後方に向きを変える。これにより、吹出しグリル１１から出たイオンが最短距離で効率よく本体１内に吸込まれ、暖房用空気通路７を流れる大風量の空気流に乗せて勢いよくイオンを送ることができ、室内全体をイオンリッチにすることができる。
【００２８】
このとき、暖房運転の停止状態でも、運転スイッチでモードを切り替え、イオン発生器１３と対流ファン４を単独で動作させることもでき、室内の除菌と同時に本体１内部の除菌を行うことができる。
【００２９】
なお、本実施形態では、清浄用空気通路１０内にイオン発生器１３を設ける場合について説明したが、イオン発生器１３に替えて芳香剤を設ければ、吹出しグリル１１の向きを前方向と後方向に変えるだけで、スポット的に芳香を送るのか部屋全体に芳香を送るのかを選ぶことができる。
【００３０】
【発明の効果】
本発明によると、室内空気を本体背面から吸込んで前面に吹出す暖房用空気通路とは別の清浄用空気通路を本体上部に開口し、その開口に水平回転可能なＬ字型の筒体を設け、対流ファンの送風の一部を清浄用空気通路に導くようにしたので、筒体の先を前方に向けることにより、清浄用空気通路を通過する空気流を本体上部前方にスポット的に送ることができ、また、筒体の先を後方に向けることで、清浄用空気通路を通過する空気流を即座に本体背面から吸い込んで暖房用空気通路を通って部屋全体に送ることができる。
【００３１】
したがって、清浄用空気通路内にイオン発生器や芳香剤を設けることにより、イオンや芳香を部屋にスポット的に送る場合と、部屋全体に送る場合とを自由に選択できる温風暖房機を提供することができ、実用価値大である。
【図面の簡単な説明】
【図１】本発明に係る温風暖房機の一例の側面断面図である。
【図２】部屋全体をイオンリッチにする場合の同上温風暖房機の側面断面図である。
【図３】従来の温風暖房機の一例の側面断面図である。
【図４】イオン発生器の模式的な透視斜視図である。
【符号の説明】
１  本体
２  熱源
３  炉
４  対流ファン
５  吸込みパネル
６  燃焼枠
７  暖房用空気通路
８  ルーバ
９  吹出口
１０  清浄用空気通路
１１  吹出しグリル
１２  リブ
１３  イオン発生器
【図１】
2004286283.tif 000003
【図２】
2004286283.tif 000004
【図３】
2004286283.tif 000005
【図４】
2004286283.tif 000006